【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
時系列に得られた複数のフレームのうちの１つのフレームの画像から、当該１つのフレームに含まれる複数の被写体のそれぞれについて被写体領域を検出する被写体検出手段と、
前記被写体検出手段により検出された前記複数の被写体領域の画像から、当該複数の被写体領域の画像それぞれの特徴情報を抽出する特徴情報抽出手段と、
予め定められた被写体の画像の特徴情報が登録された記憶手段と、
前記特徴情報抽出手段により抽出された前記複数の被写体領域の画像それぞれの特徴情報と、前記記憶手段に登録された前記予め定められた被写体の画像の特徴情報とを用いて、前記複数の被写体領域のそれぞれについて認証処理を実行する認証手段と、
前記被写体検出手段、前記特徴情報抽出手段、及び前記認証手段を制御する制御手段と、を備え、
前記制御手段は、前記１つのフレームの画像から前記被写体検出手段により検出された前記複数の被写体領域のうち、
第１被写体領域については、当該１つのフレームの画像から検出された当該第１被写体領域から、または当該１つのフレームより後のフレームの画像から検出された複数の被写体領域のうち、前記第１被写体領域に対応する被写体領域から、前記特徴情報抽出手段により抽出された特徴情報を用いて、前記認証手段に前記認証処理を実行させ、
第２被写体領域については、前記第１被写体領域について前記認証処理を実行したフレームとは異なるフレームの画像から検出された複数の被写体領域のうち、前記第２被写体領域に対応する被写体領域から、前記特徴情報抽出手段により抽出された特徴情報を用いて、前記認証手段に前記認証処理を実行させる
ことを特徴とする認証処理の機能を備えた装置。
【請求項２】
前記被写体検出手段により検出された前記複数の被写体領域を複数のグループに分けるグルーピング手段をさらに備え、
前記制御手段は、１つのフレームにつき、前記グルーピング手段により分けられた１つのグループに含まれる被写体領域に対して前記認証手段に前記認証処理を実行させ、
前記複数の被写体領域のうち、当該１つのグループに含まれない被写体については、前記認証処理を実行したフレームの画像とは異なるフレームの画像において、前記認証手段に前記認証処理を実行させることを特徴とする請求項１に記載の認証処理の機能を備えた装置。
【請求項３】
前記制御手段は、前記被写体検出手段により検出された複数の被写体領域の全てについて前記認証手段に実行させた前記認証処理が完了すると、新たなフレームの画像に対し、前記被写体検出手段、前記特徴情報抽出手段、前記グルーピング手段、及び前記認証手段の処理を繰り返して実行させることを特徴とする請求項２に記載の認証処理の機能を備えた装置。
【請求項４】
前記１つのフレームの画像から前記被写体検出手段により検出された前記複数の被写体領域と、当該１つのフレームより前のフレームの画像から前記被写体検出手段により検出された前記複数の被写体領域とを比較する比較処理を実行する比較手段をさらに備え、
前記比較手段は、前記１つのフレームより前のフレームの画像において前記認証処理によって認証され、前記１つのフレームの画像では前記認証処理の対象としない被写体領域については、前記１つのフレームの画像から検出された複数の被写体領域のうち、当該対象としない被写体領域のフレームにおける位置との距離が閾値未満である被写体領域を、当該対象としない被写体領域とみなすことを特徴とする請求項１に記載の認証処理の機能を備えた装置。
【請求項５】
前記１つのフレームの画像から前記被写体検出手段により検出された前記複数の被写体領域と、当該１つのフレームより前のフレームの画像から前記被写体検出手段により検出された前記複数の被写体領域とを比較する比較処理を実行する比較手段をさらに備え、
前記比較手段は、前記１つのフレームより前のフレームの画像において前記認証処理によって認証され、前記１つのフレームの画像では前記認証処理の対象としない被写体領域については、前記１つのフレームの画像から検出された複数の被写体領域のうち、当該対象としない被写体領域のフレームにおける位置との距離、及び当該対象としない被写体領域との大きさの差が閾値未満である被写体領域を、当該対象としない被写体領域とみなすことを特徴とする請求項１に記載の認証処理の機能を備えた装置。
【請求項６】
前記制御手段は、前記１つのフレームの画像について前記認証手段に前記認証処理を実行させるとともに、前記比較手段に前記比較処理を実行させることを特徴とする請求項４又は５に記載の認証処理の機能を備えた装置。
【請求項７】
予め定められた被写体の画像の特徴情報が登録された記憶手段を備える認証処理の機能を備えた装置の制御方法であって、
被写体検出手段が、時系列に得られた複数のフレームのうちの１つのフレームの画像から、当該１つのフレームに含まれる複数の被写体それぞれについて被写体領域を検出する被写体検出工程と、
特徴情報抽出手段が、前記被写体検出工程において検出された前記複数の被写体領域の画像から、当該複数の被写体領域の画像それぞれの特徴情報を抽出する特徴情報抽出工程と、
認証手段が、前記特徴情報抽出工程において抽出された前記複数の被写体領域の画像それぞれの特徴情報と、前記記憶手段に登録された前記予め定められた被写体の画像の特徴情報とを用いて、前記複数の被写体領域のそれぞれについて認証処理を実行する認証工程と、
制御手段が、前記被写体検出工程、前記特徴情報抽出工程、及び前記認証工程を制御する制御工程と、を備え、
前記制御工程において前記制御手段は、１つのフレームの画像から前記被写体検出工程において検出された前記複数の被写体領域のうち、
前記第１被写体領域については、当該１つのフレームの画像から検出された当該第１被写体領域から、または当該１つのフレームより後のフレームの画像から検出された複数の被写体領域のうち、前記第１被写体領域と対応する被写体領域から、前記特徴情報抽出工程において抽出された特徴情報を用いて、前記認証工程で前記認証処理を実行させ、
前記第２被写体領域については、前記第１被写体領域について前記認証処理を実行したフレームとは異なるフレームの画像から検出された複数の被写体領域のうち、前記第２被写体領域と対応する被写体領域から、前記特徴情報抽出工程において抽出された特徴情報を用いて、前記認証工程で前記認証処理を実行させる
ことを特徴とする認証処理の機能を備えた装置の制御方法。
【請求項８】
請求項７に記載の認証処理の機能を備えた装置の制御方法の各工程をコンピュータに実行させるためのプログラム。
【請求項９】
請求項７に記載の認証処理の機能を備えた装置の制御方法の各工程をコンピュータに実行させるためのプログラムを記録したコンピュータで読み取り可能な記録媒体。
【手続補正２】
【補正対象書類名】明細書
【補正対象項目名】発明の名称
【補正方法】変更
【補正の内容】
【発明の名称】認証処理の機能を備えた装置及びその制御方法、プログラム、及び記録媒体
【手続補正３】
【補正対象書類名】明細書
【補正対象項目名】０００１
【補正方法】変更
【補正の内容】
【０００１】
本発明は、認証処理の機能を備えた装置及びその制御方法、プログラム、及び記録媒体に関する。
【手続補正４】
【補正対象書類名】明細書
【補正対象項目名】０００６
【補正方法】変更
【補正の内容】
【０００６】
本発明の目的は、認証処理の精度を向上させることが可能な認証処理の機能を備えた装置及びその制御方法を提供することにある。
【手続補正５】
【補正対象書類名】明細書
【補正対象項目名】０００７
【補正方法】変更
【補正の内容】
【０００７】
上記の目的を達成するため、本発明の実施形態に係る認証処理の機能を備えた装置は、
時系列に得られた複数のフレームのうちの１つのフレームの画像から、当該１つのフレームに含まれる複数の被写体のそれぞれについて被写体領域を検出する被写体検出手段と、
前記被写体検出手段により検出された前記複数の被写体領域の画像から、当該複数の被写体領域の画像それぞれの特徴情報を抽出する特徴情報抽出手段と、
予め定められた被写体の画像の特徴情報が登録された記憶手段と、
前記特徴情報抽出手段により抽出された前記複数の被写体領域の画像それぞれの特徴情報と、前記記憶手段に登録された前記予め定められた被写体の画像の特徴情報とを用いて、前記複数の被写体領域のそれぞれについて認証処理を実行する認証手段と、
前記被写体検出手段、前記特徴情報抽出手段、及び前記認証手段を制御する制御手段と、を備え、
前記制御手段は、前記１つのフレームの画像から前記被写体検出手段により検出された前記複数の被写体領域のうち、
第１被写体領域については、当該１つのフレームの画像から検出された当該第１被写体領域から、または当該１つのフレームより後のフレームの画像から検出された複数の被写体領域のうち、前記第１被写体領域に対応する被写体領域から、前記特徴情報抽出手段により抽出された特徴情報を用いて、前記認証手段に前記認証処理を実行させ、
第２被写体領域については、前記第１被写体領域について前記認証処理を実行したフレームとは異なるフレームの画像から検出された複数の被写体領域のうち、前記第２被写体領域に対応する被写体領域から、前記特徴情報抽出手段により抽出された特徴情報を用いて、前記認証手段に前記認証処理を実行させる
ことを特徴とする。
【手続補正６】
【補正対象書類名】明細書
【補正対象項目名】０００８
【補正方法】変更
【補正の内容】
【０００８】
上記の目的を達成するため、本発明の他の実施形態に係る認証処理の機能を備えた装置の制御方法は、
予め定められた被写体の画像の特徴情報が登録された記憶手段を備える認証処理の機能を備えた装置の制御方法であって、
被写体検出手段が、時系列に得られた複数のフレームのうちの１つのフレームの画像から、当該１つのフレームに含まれる複数の被写体それぞれについて被写体領域を検出する被写体検出工程と、
特徴情報抽出手段が、前記被写体検出工程において検出された前記複数の被写体領域の画像から、当該複数の被写体領域の画像それぞれの特徴情報を抽出する特徴情報抽出工程と、
認証手段が、前記特徴情報抽出工程において抽出された前記複数の被写体領域の画像それぞれの特徴情報と、前記記憶手段に登録された前記予め定められた被写体の画像の特徴情報とを用いて、前記複数の被写体領域のそれぞれについて認証処理を実行する認証工程と、
制御手段が、前記被写体検出工程、前記特徴情報抽出工程、及び前記認証工程を制御する制御工程と、を備え、
前記制御工程において前記制御手段は、１つのフレームの画像から前記被写体検出工程において検出された前記複数の被写体領域のうち、
前記第１被写体領域については、当該１つのフレームの画像から検出された当該第１被写体領域から、または当該１つのフレームより後のフレームの画像から検出された複数の被写体領域のうち、前記第１被写体領域と対応する被写体領域から、前記特徴情報抽出工程において抽出された特徴情報を用いて、前記認証工程で前記認証処理を実行させ、
前記第２被写体領域については、前記第１被写体領域について前記認証処理を実行したフレームとは異なるフレームの画像から検出された複数の被写体領域のうち、前記第２被写体領域と対応する被写体領域から、前記特徴情報抽出工程において抽出された特徴情報を用いて、前記認証工程で前記認証処理を実行させる
ことを特徴とする。
【手続補正７】
【補正対象書類名】明細書
【補正対象項目名】０００９
【補正方法】変更
【補正の内容】
【０００９】
本発明によれば、認証処理の精度を向上させることが可能な認証処理の機能を備えた装置及びその制御方法を提供することが可能となる。
【手続補正８】
【補正対象書類名】明細書
【補正対象項目名】００４２
【補正方法】変更
【補正の内容】
【００４２】
図７のフローチャートは、時間ｔ＝ｎの現在の画像フレームで検出された顔と、ｔ＝ｎ−ｋの前の画像フレームで検出された顔との比較処理を実行する。これにより、ｔ＝ｎの現在の画像フレームで検出された顔と、ｔ＝ｎ−ｋの前の画像フレームで検出された顔に、同一人物が存在するか否かの判断をおこなう。ここで、ｋは、顔検出処理部１１で顔検出処理をおこなう現在と前の画像フレームの間隔である。
【手続補正９】
【補正対象書類名】明細書
【補正対象項目名】００５６
【補正方法】変更
【補正の内容】
【００５６】
また、上記ソフトウェアのプログラムコード自体が上述した実施形態の機能を実現することになり、そのコード自体、およびそのコードをコンピュータに供給するための手段、例えばかかるプログラムコードを格納した記録媒体は本発明を構成する。かかるコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。